(57)【要約】      （修正有）【課題】ＰＤＰを含むプラズマ表示装置及びその駆動方法に関する。【解決手段】複数の第１電極及び第２電極と、これに交差する複数の第３電極とによって放電セルが形成されるプラズマ表示装置で、一フレームを複数のサブフィールドにて駆動し、第１電極を複数のグループに分割し、サブフィールドは、複数の維持期間と各々のグループに対応する複数のアドレス期間とを含み、第１フレームの第１サブフィールドで、第１グループでアドレス動作を行ってセルを選択し、選択されたセルに対して第１維持放電を遂行し、第２グループでアドレス動作を行ってセルを選択し、選択されたセルに対して第２維持放電を遂行し、第２フレームの第２サブフィールドで、第２グループでアドレス動作を行ってセルを選択し、選択されたセルに対して第２維持放電を遂行し、第１グループでアドレス動作を行ってセルを選択し、選択されたセルに対して第１維持放電を遂行する。【選択図】図７
2006146159.tif 000002
【特許請求の範囲】
【請求項１】
複数の第１電極及び複数の第２電極、並びに前記第１及び第２電極と交差する方向に延びている複数の第３電極を含み、前記第１、第２、及び第３電極によって放電セルが形成されるプラズマ表示装置で、一つのフレームを複数のサブフィールドに分割して駆動する方法において、
前記複数の第１電極が複数のグループに分割され、前記サブフィールドは、複数の維持期間と前記複数のグループに各々対応する複数のアドレス期間とを含み、
第１フレームの第１サブフィールドは、
（ａ）前記複数のグループのうちの第１グループでアドレス動作を行って、前記第１グループに形成されるセルの中で表示するセルを選択し、選択されたセルに対して第１維持放電を遂行する段階、及び
（ｂ）前記複数のグループのうちの第２グループでアドレス動作を行って、前記第２グループに形成されるセルの中で表示するセルを選択し、選択されたセルに対して第２維持放電を遂行する段階、を含み、
第２フレームの第２サブフィールドで、
（ｃ）前記第２グループでアドレス動作を行って、前記第２グループに形成されるセルの中で表示するセルを選択し、選択されたセルに対して第２維持放電を遂行する段階、及び
（ｄ）前記第１グループでアドレス動作を行って、前記第１グループに形成されるセルの中で表示するセルを選択し、選択されたセルに対して第１維持放電を遂行する段階、を含む、プラズマ表示装置の駆動方法。
【請求項２】
前記第１フレームの第３サブフィールドで、
（ｅ）前記第２グループでアドレス動作を行って、前記第２グループに形成されるセルの中で表示するセルを選択し、選択されたセルに対して第２維持放電を遂行する段階、及び
（ｆ）前記第１グループでアドレス動作を行って、前記第１グループに形成されるセルの中で表示するセルを選択し、選択されたセルに対して第１維持放電を遂行する段階、を含む、請求項１に記載のプラズマ表示装置の駆動方法。
【請求項３】
前記第２フレームの第４サブフィールドで、
（ｇ）前記第２グループでアドレス動作を行って、前記第２グループに形成されるセルの中で表示するセルを選択し、選択されたセルに対して第２維持放電を遂行する段階、及び
（ｈ）前記第１グループでアドレス動作を行って、前記第１グループに形成されるセルの中で表示するセルを選択し、選択されたセルに対して第１維持放電を遂行する段階、を含む、請求項２に記載のプラズマ表示装置の駆動方法。
【請求項４】
前記第２フレームは前記第１フレームに繋がる、請求項１に記載のプラズマ表示装置の駆動方法。
【請求項５】
前記複数の維持期間のうちの少なくとも一つの維持期間は、前記複数のアドレス期間のうちの隣接する二つのアドレス期間の間に位置する、請求項１に記載のプラズマ表示装置の駆動方法。
【請求項６】
前記第１サブフィールドに割り当てられる加重値と前記第２サブフィールドに割り当てられる加重値が同一である、請求項１に記載のプラズマ表示装置の駆動方法。
【請求項７】
前記第１フレームの第１サブフィールドに割り当てられる加重値と前記第２フレームの第１サブフィールドに割り当てられる加重値が同一である、請求項３に記載のプラズマ表示装置の駆動方法。
【請求項８】
前記第３サブフィールドは前記第１サブフィールドに繋がり、前記第４サブフィールドは前記第２サブフィールドに繋がる、請求項３に記載のプラズマ表示装置の駆動方法。
【請求項９】
複数の第１電極及び複数の第２電極、並びに前記第１及び第２電極と交差する方向に延びている複数の第３電極を含み、前記第１、第２、及び第３電極によって放電セルが形成されるプラズマ表示パネル、及び
前記第１電極を複数のグループに区分して各グループに駆動信号を印加する駆動部、を含み、
前記駆動部は、
複数の維持期間と前記複数のグループに各々対応する複数のアドレス期間とを含む第１フレームの第１サブフィールドで、
前記複数のグループのうちの第１グループでアドレス動作を行って、前記第１グループに形成されるセルの中で表示するセルを選択し、選択されたセルに対して第１維持放電を遂行し、
前記複数のグループのうちの第２グループでアドレス動作を行って、前記第２グループに形成されるセルの中で表示するセルを選択し、選択されたセルに対して第２維持放電を遂行し、
複数の維持期間と前記複数のグループに各々対応する複数のアドレス期間とを含む第２フレームの第２サブフィールドで、
前記複数のグループのうちの前記第２グループでアドレス動作を行って、前記第２グループに形成されるセルの中で表示するセルを選択し、選択されたセルに対して第２維持放電を遂行し、
前記複数のグループのうちの前記第１グループでアドレス動作を行って、前記第１グループに形成されるセルの中で表示するセルを選択し、選択されたセルに対して第１維持放電を遂行するように各グループに印加される駆動信号を制御する、プラズマ表示装置。
【請求項１０】
前記第１フレームの第３サブフィールドで、
前記複数のグループのうちの第２グループでアドレス動作を行って、前記第２グループに形成されるセルの中で表示するセルを選択し、選択されたセルに対して第２維持放電を遂行し、
前記複数のグループのうちの第１グループでアドレス動作を行って、前記第１グループに形成されるセルの中で表示するセルを選択し、選択されたセルに対して第１維持放電を遂行するように各グループに印加される駆動信号を制御する、請求項９に記載のプラズマ表示装置。
【請求項１１】
前記第２フレームの第４サブフィールドで、
前記複数のグループのうちの第２グループでアドレス動作を行って、前記第２グループに形成されるセルの中で表示するセルを選択し、選択されたセルに対して第２維持放電を遂行し、
前記複数のグループのうちの第１グループでアドレス動作を行って、前記第１グループに形成されるセルの中で表示するセルを選択し、選択されたセルに対して第１維持放電を遂行するように各グループに印加される駆動信号を制御する、請求項９に記載のプラズマ表示装置。
【請求項１２】
前記第２フレームは前記第１フレームに繋がる、請求項９に記載のプラズマ表示装置。
【請求項１３】
前記複数の維持期間のうちの少なくとも一つの維持期間は、前記複数のアドレス期間のうちの隣接する二つのアドレス期間の間に位置する、請求項９に記載のプラズマ表示装置の駆動方法。
【請求項１４】
前記第１サブフィールドに割り当てられる加重値と前記第２サブフィールドに割り当てられる加重値が同一である、請求項９に記載のプラズマ表示装置。
【請求項１５】
前記第１フレームの第１サブフィールドに割り当てられる加重値と前記第２フレームの第１サブフィールドに割り当てられる加重値が同一である、請求項１１に記載のプラズマ表示装置。
【請求項１６】
前記第３サブフィールドは前記第１サブフィールドに繋がり、前記第４サブフィールドは前記第２サブフィールドに繋がる、請求項１１に記載のプラズマ表示装置。
【発明の詳細な説明】
【技術分野】
【０００１】
本発明は、プラズマ表示パネル（ＰＤＰ）を含むプラズマ表示装置及びその駆動方法に関する。
【背景技術】
【０００２】
プラズマ表示装置は、気体放電により生成されたプラズマを利用して文字又は映像を表示する平面表示装置であって、その表示パネルは、その大きさによって数十から数百万個以上の画素がマトリックス形態に配列されている。
【０００３】
一般的に、プラズマ表示装置では、一つのフレームを各々の加重値（１Ｔ、２Ｔ、４Ｔ、８Ｔ、１６Ｔ、３２Ｔ、６４Ｔ、１２８Ｔ）を有する複数のサブフィールド（ＳＦ１−ＳＦ８）に分け、これを時分割制御して階調を実現し、各サブフィールド（ＳＦ１−ＳＦ８）は、リセット期間（図示せず）、アドレス期間（Ａｄ１−Ａｄ８）、及び維持期間（Ｓ１−Ｓ８）からなる。リセット期間は、セルにアドレス動作が円滑に行われるようにするために各セルの状態を初期化させる期間であり、アドレス期間は、パネルで点灯されるセルと点灯されないセルを区別するために、点灯されるセル（アドレスされたセル）に壁電荷を蓄積する動作を行う期間である。維持期間は、維持放電電圧パルスを印加して、アドレスされたセルに実際に映像を表示するための放電を遂行する期間である。
【発明の開示】
【発明が解決しようとする課題】
【０００４】
このような駆動方法によれば、いずれか一つの走査電極ラインにアドレス動作が行われた後、その走査電極ラインでの維持放電動作は、最後の走査電極ラインのアドレス動作が完了した後にようやく行われる。したがって、アドレス動作が起こったセルで維持放電動作が起こるまでに相当な時間的なギャップが発生し、維持放電動作が不安定になるという問題点がある。
したがって、本発明が目的とする技術的課題は、アドレス動作と維持放電動作との間の時間的なギャップを短縮することができるプラズマ表示装置及びその駆動方法を提供することにある。
【課題を解決するための手段】
【０００５】
このような課題を解決するための、本発明の一つの特徴による複数の第１電極及び複数の第２電極、並びに前記第１及び第２電極と交差する方向に延びている複数の第３電極を含み、前記第１、第２、及び第３電極によって放電セルが形成されるプラズマ表示装置で、一つのフレームを複数のサブフィールドに分割して駆動する方法は、
前記複数の第１電極が複数のグループに分割され、前記サブフィールドは、複数の維持期間と前記複数のグループに各々対応する複数のアドレス期間とを含み、
第１フレームの第１サブフィールドは、前記複数のグループのうちの第１グループでアドレス動作を行って、前記第１グループに形成されるセルの中で表示するセルを選択し、選択されたセルに対して第１維持放電を遂行し、前記複数のグループのうちの第２グループでアドレス動作を行って、前記第２グループに形成されるセルの中で表示するセルを選択し、選択されたセルに対して第２維持放電を遂行する段階を含み、
第２フレームの第２サブフィールドで、前記第２グループでアドレス動作を行って、前記第２グループに形成されるセルの中で表示するセルを選択し、選択されたセルに対して第２維持放電を遂行し、前記第１グループでアドレス動作を行って、前記第１グループに形成されるセルの中で表示するセルを選択し、選択されたセルに対して第１維持放電を遂行することを特徴とする。
【０００６】
本発明の他の特徴によるプラズマ表示装置は、複数の第１電極及び複数の第２電極、並びに前記第１及び第２電極と交差する方向に延びている複数の第３電極を含み、前記第１、第２、及び第３電極によって放電セルが形成されるプラズマ表示パネル、及び前記第１電極を複数のグループに区分して各グループに駆動信号を印加する駆動部、を含み、
前記駆動部は、
複数の維持期間と前記複数のグループに各々対応する複数のアドレス期間とを含む第１フレームの第１サブフィールドで、
前記複数のグループのうちの第１グループでアドレス動作を行って、前記第１グループに形成されるセルの中で表示するセルを選択し、選択されたセルに対して第１維持放電を遂行し、前記複数のグループのうちの第２グループでアドレス動作を行って、前記第２グループに形成されるセルの中で表示するセルを選択し、選択されたセルに対して第２維持放電を遂行し、
複数の維持期間と前記複数のグループに各々対応する複数のアドレス期間とを含む第２フレームの第２サブフィールドで、前記複数のグループのうちの前記第２グループでアドレス動作を行って、前記第２グループに形成されるセルの中で表示するセルを選択し、選択されたセルに対して第２維持放電を遂行し、前記複数のグループのうちの前記第１グループでアドレス動作を行って、前記第１グループに形成されるセルの中で表示するセルを選択し、選択されたセルに対して第１維持放電を遂行するように、各グループに印加される駆動信号を制御することを特徴とする。
【発明の効果】
【０００７】
本発明によれば、駆動回路を追加せずに、表示パネルを構成するセルを複数のグループに区分して駆動することができる。また、駆動回路の追加なしで、表示パネルを構成するセルを複数のグループに区分し、フレーム−サブフィールド方式によって階調性を表現するにおいて、アドレス期間と維持期間との間の時間的なギャップを最小化して、維持期間で円滑な維持放電が起こるようにすることができる。また、各グループ別に同一なスキャンＩＣを用いることにより、実現されるボードの面積を減らすことができるだけでなく、パターンが複雑になることを防止して、ボードを容易に実現することができる。
【発明を実施するための最良の形態】
【０００８】
以下、添付した図面を参照して、本発明の実施形態について本発明の属する技術分野における通常の知識を有する者が容易に実施できるように詳細に説明する。しかし、本発明は多様な相違した形態で実現でき、ここで説明する実施形態に限定されない。図面において、本発明を明確に説明するために、説明上不要な部分は省略した。明細書全体を通じて、類似な部分については同一な図面符号を付けた。
【０００９】
次に、本発明の実施形態によるプラズマ表示装置及びその駆動方法について、図面を参照して詳細に説明する。
【００１０】
まず、図１を参照して、本発明の実施形態によるプラズマ表示装置について説明する。図１は、本発明の実施形態によるプラズマ表示装置の概略的な概念図である。
図１に示したように、本発明の実施形態によるプラズマ表示装置は、プラズマ表示パネル１００、制御部２００、アドレス駆動部３００、維持電極駆動部４００、及び走査電極駆動部５００を含む。プラズマ表示パネル１００は、列方向に配列されている複数のアドレス電極（Ａ１−Ａｍ）、行方向に配列されている複数の維持電極（Ｘ１−Ｘｎ）、及び複数の走査電極（Ｙ１−Ｙｎ）を含む。複数の走査電極（Ｙ１−Ｙｎ）及び維持電極（Ｘ１−Ｘｎ）は互いに対を成して配列されている。そして、隣接する走査電極と維持電極及びこれらと交差するアドレス電極によって放電セルが形成される。
【００１１】
制御部２００は、外部から映像信号を受信して、アドレス駆動制御信号、維持電極駆動制御信号、及び走査電極駆動制御信号を出力する。そして、制御部２００は一つのフレームを複数のサブフィールドに分割して駆動し、各サブフィールドを時間的な動作変化で表現すれば、リセット期間、アドレス期間、及び維持期間からなる。アドレス駆動部３００は、制御部２００からアドレス駆動制御信号を受信して、表示しようとする放電セルを選択するための表示データ信号を各アドレス電極に印加する。維持電極駆動部４００は、制御部２００から維持電極駆動制御信号を受信して、維持電極（Ｘ）に駆動電圧を印加する。走査電極駆動部５００は、制御部２００から走査電極駆動制御信号を受信して、走査電極（Ｙ）に駆動電圧を印加する。
【００１２】
次に、図２乃至図４を参照して、本発明の実施形態によるプラズマ表示装置の駆動方法について説明する。
【００１３】
図２は、走査電極ラインを複数（ｎ個）のグループに区分して、各グループに対し、一つのフレームを複数のサブフィールドに分割して駆動するプラズマ表示装置の駆動方法を説明するための図である。図２において、各グループは８個のサブフィールドの組み合わせによって階調が表現される。
【００１４】
一方、走査電極ラインを複数個のグループに分ける方式において、走査電極ラインの物理的な配列順に所定の個数ずつまとめてグループを形成することができる。例えば、パネルが８００個の走査電極ラインで形成された場合、８個のグループに分け、第１〜１００番目の走査電極ラインを第１グループに、第１０１〜２００番目の走査電極ラインを第２グループに設定することができる。しかし、走査電極ラインをグループ化する際、直ちに隣接するライン同士で集めるわけでなく、一定の間隔だけ離れている走査電極ライン同士で同じグループに集めることができる。つまり、第１グループとして第１、９、１７、…（８ｋ＋１）番目の走査電極ラインを割り当て、第２グループとして第２、１０、１８、…（８ｋ＋２）番目の走査電極ラインを割り当てることである。また、必要に応じて、任意に不規則な方式によっても走査電極ラインをグループ化させることが可能である。
図３は、本発明の実施形態によるプラズマ表示パネルの走査電極を４個のグループに区分した一例を示した図である。一つのサブフィールドは、リセット期間（Ｒ）、アドレス/維持混合期間（Ｔ１）、共通維持期間（Ｔ２）、及び輝度補正期間（Ｔ３）で構成される。
リセット期間（Ｒ）は、全てのグループの走査電極ラインに対してリセットパルスを印加してセルの壁電荷状態を初期化する。
【００１５】
アドレス/維持混合期間（Ｔ１）は、第１グループ（Ｇ１）で、一番目の走査電極ライン（Ｙ１１）から最後の走査電極ライン（Ｙ１ｍ）まで順にアドレス動作を行う（ＡＧ１）。
第１グループ（Ｇ１）のセルに対してアドレス動作が全て完了すれば、前記第１グループに少なくとも１個の維持パルスを印加して第１維持放電動作を行う（Ｓ１１）。
第１グループ（Ｇ１）の第１維持期間（Ｓ１１）が終了すれば、第２グループ（Ｇ２）のセルに対するアドレス動作が行われる（ＡＧ２）。
第２グループ（Ｇ２）のアドレス期間（ＡＧ２）が終了すれば、つまり、第２グループ（Ｇ２）に属する走査電極ラインに対するアドレス動作が全て完了すれば、第２グループ（Ｇ２）に対する第１維持期間（Ｓ２１）が行われる。この時、既にアドレス期間（第１維持期間）が行われた第１グループでも第２維持期間（Ｓ１２）が行われる。しかし、仮に、第１グループの第１維持期間（Ｓ１１）によって階調度が満たされれば、第１グループの第２維持期間（Ｓ１２）は行われないこともある。もちろん、まだアドレス期間が行われないセルは休止状態を維持する。
第２グループ（Ｇ２）の第１維持期間（Ｓ２１）が終了すれば、第３グループ（Ｇ３）に対して前述のような方式でアドレス期間（ＡＧ３）と第１維持期間（Ｓ３１）が行われ、第３グループ（Ｇ３）の第１維持期間（Ｓ３１）が行われる間、既に以前の段階の維持期間が提供された第１、第２グループ（Ｇ１、Ｇ２）のセルに対しても維持期間（Ｓ１３、Ｓ２２）が行われることができる。しかし、仮に、第１、第２グループの第１維持期間（Ｓ１１、Ｓ２１）によって階調度が満たされれば、追加的な維持期間（Ｓ１３、Ｓ２２）は行われないこともある。
最後に、前述のような過程を経て第４グループ（Ｇ４）に対してアドレス期間（ＡＧ４）と第１維持期間（Ｓ４１）が行われ、第４グループ（Ｇ４）の第１維持期間（Ｓ４１）が行われる間、既に以前に維持期間が提供された第１、第２、第３グループ（Ｇ１、Ｇ２、Ｇ３）のセルに対しても維持期間（Ｓ１４、Ｓ２３、Ｓ３２）が行われることができる。
【００１６】
図３では、いずれか一つのグループのセルに対して維持期間を遂行する間には、その以前にアドレス期間が行われたグループのセルに対しても、全て維持期間を遂行する例を示している。この時、単位維持期間の間に印加される維持パルスの数が同一であり、これにより発現される輝度が同一であると仮定すれば、第ｎグループのセルに比べて、第１グループのセルはｎ倍の輝度を示すことになる。同様に、第ｎグループのセルに比べて、第２グループのセルはｎ−１倍の輝度を示し、第ｎ−１グループのセルは２倍の輝度を示すことになる。このようなグループ別の輝度差を均等に補正するために所定の追加的な維持期間が必要であり、そのためのものが輝度補正期間（Ｔ３）である。
【００１７】
輝度補正期間（Ｔ３）は、各グループ別のセルの階調度が互いに均等に補正されるように、各グループ別に選択的に行われる維持放電期間である。
共通維持期間（Ｔ２）は、全てのセルに対して一定の期間の間に共通的に維持パルスを印加する期間であり、アドレス/維持混合期間（Ｔ１）、又はアドレス/維持混合期間（Ｔ１）及び輝度補正期間（Ｔ３）により各サブフィールドに割り当てられた階調度の仕様が満たされない場合に選択的に行われることができる。共通維持期間（Ｔ２）は図３に示したように、アドレス/維持混合期間（Ｔ１）の後に行われることもでき、輝度補正期間（Ｔ３）の後に行われることもできる。
また、サブフィールドの加重値に応じて共通維持期間（Ｔ２）の大きさを適切に変化させて実現することができる。
また、アドレス/維持混合期間（Ｔ１）だけで一つのサブフィールドを実現することもできる。具体的には、一つのグループに対するアドレス動作及び維持放電動作が完了した後に、他のグループのアドレス動作及び維持放電動作を順に行い、第１グループ（Ｇ１）から第４グループ（Ｇ４）までアドレス/維持期間が順に行われる。
【００１８】
図４は、図３で説明した駆動方法を走査電極の奇数ライングループ（Ｙｏｄｄ）と偶数ライングループ（Ｙｅｖｅｎ）、及び維持電極（Ｘ）に適用した、本発明の第１実施形態によるプラズマ表示装置の駆動波形図である。
【００１９】
リセット期間（Ｒ）では、奇数及び偶数の走査電極グループ（Ｙｏｄｄ、Ｙｅｖｅｎ）に対してリセット波形を印加して、セルの壁電荷状態を初期化する。図４のリセット波形は一般的な波形であるので、詳細な説明を省略する。
【００２０】
アドレス/維持混合期間（Ｔ１）では、先に奇数ライングループ（Ｙｏｄｄ）のアドレス期間（ＡＧ１）が行われ、奇数ライングループ（Ｙｏｄｄ）の維持期間（Ｓ１１）が行われる。奇数ライングループ（Ｙｏｄｄ）の維持期間（Ｓ１１）が完了した後、偶数ライングループ（Ｙｅｖｅｎ）のアドレス期間（ＡＧ２）が行われる。その後、奇数ライングループ（Ｙｏｄｄ）の二番目の維持期間（Ｓ１２）と偶数ライングループ（Ｙｅｖｅｎ）の一番目の維持期間（Ｓ２１）が共に行われる。
【００２１】
アドレス期間（ＡＧ１）では、偶数ライングループの走査電極（Ｙｅｖｅｎ）がＶｓｃＨ電圧に維持された状態で、奇数ライングループ（Ｙｏｄｄ）の走査電極に順にＶｓｃＬ電圧を有する走査パルスが印加される。そして、図示してはいないが、走査パルスが印加された走査電極によって形成されるセルのうち、選択しようとするセルを形成するアドレス電極にアドレス電圧が印加される。そうすると、アドレス電極に印加されたアドレス電圧と走査電極に印加された電圧（ＶｓｃＬ）との差、及びアドレス電極及び走査電極に形成された壁電荷による壁電圧によってアドレス放電が起こり、走査電極と維持電極に壁電圧が形成される。
【００２２】
そして、アドレス/維持混合期間（Ｔ１）の維持期間（Ｓ１１）では、走査電極（Ｙｏｄｄ、Ｙｅｖｅｎ）及び維持電極（Ｘ）に交互に維持放電パルスを印加する。図４では、走査電極（Ｙｏｄｄ、Ｙｅｖｅｎ）及び維持電極（Ｘ）に各々一回の維持放電パルスを印加した例を示した。そして、維持放電パルスは、ハイレバル電圧（図４ではＶｓ電圧）とローレベル電圧（図４では０Ｖ又はＶｓｃＨ電圧）を有し、Ｖｓ電圧又は（Ｖｓ−ＶｓｃＨ）電圧は、壁電圧と共に維持放電を起こすことのできる電圧である。まず、走査電極（Ｙｏｄｄ、Ｙｅｖｅｎ）にＶｓ電圧が印加され、維持電極（Ｘ）に０Ｖが印加され、アドレス期間（ＡＧ１）で、アドレス放電によって走査電極（Ｙｏｄｄ）と維持電極（Ｘ）との間に壁電圧が形成されたセルでは、この壁電圧と走査電極（Ｙｏｄｄ）と維持電極（Ｘ）の電圧との差（Ｖｓ）により維持放電が起こって、走査電極と維持電極に反対極性の壁電圧が形成される。一方、アドレス/維持混合期間（Ｔ１）の維持期間（Ｓ１１）で、偶数ラインの走査電極（Ｙｅｖｅｎ）にも維持放電パルスが印加されるが、走査電極（Ｙｅｖｅｎ）と維持電極（Ｘ）との間に壁電圧が形成されていないため、維持放電は起こらない。このように、奇数ラインの走査電極（Ｙｏｄｄ）に対してアドレス/維持混合期間（Ｔ１）のアドレス期間（ＡＧ１）及び維持期間（Ｓ１１）が完了すれば、続いて偶数ラインの走査電極（Ｙｅｖｅｎ）に対してアドレス/維持混合期間（Ｔ１）のアドレス期間（ＡＧ２）が行われる。
【００２３】
偶数ラインの走査電極（Ｙｅｖｅｎ）に対して、アドレス/維持混合期間（Ｔ１）のアドレス期間（ＡＧ２）では、奇数ラインの走査電極（Ｙｏｄｄ）をＶｓｃＨ電圧に維持した状態で、走査電極（Ｙｅｖｅｎ）に、ＶｓｃＬ電圧を有する走査パルスが順に印加される。そして、前述のように、ＶｓｃＬ電圧が印加された走査電極（Ｙ）によって形成されるセルのうちの選択しようとするセルを形成するアドレス電極（Ａ）に、アドレス電圧が印加されて壁電圧が形成される。そして、図４では、維持期間（Ｓ１１）の一部とアドレス期間（ＡＧ２）の一部とが重なる例を示したが、二つの期間（Ｓ１１、ＡＧ２）を分離することもできる。
【００２４】
そして、アドレス/維持混合期間（Ｔ１）の維持期間（Ｓ２１、Ｓ１２）では、走査電極（Ｙｏｄｄ、Ｙｅｖｅｎ）と維持電極（Ｘ）に、Ｖｓ電圧と０Ｖ電圧を交互に有する維持放電パルスが印加される。そうすると、偶数ライン（Ｙｅｖｅｎ）のセルのうちのアドレス期間（ＡＧ２）に壁電圧が形成されたセルと、奇数ライン（Ｙｏｄｄ）のセルのうちのアドレス期間（ＡＧ１）に壁電圧が形成されたセルとで維持放電が起こる。つまり、偶数ライン（Ｙｅｖｅｎ）のアドレス/維持混合期間（Ｔ１）の維持期間（Ｓ２１）と、奇数ライン（Ｙｏｄｄ）のアドレス/維持混合期間（Ｔ１）の第２維持期間（Ｓ１２）とが同時に行われる。
【００２５】
その次の共通維持期間（Ｔ２）で、走査電極（Ｙｏｄｄ、Ｙｅｖｅｎ）と維持電極（Ｘ）に維持放電パルスが印加されて、走査電極（Ｙｏｄｄ、Ｙｅｖｅｎ）全体に対して共通的に維持放電が行われる。
【００２６】
その次の輝度補正期間（Ｔ３）で、奇数ライン（Ｙｏｄｄ）と偶数ライン（Ｙｅｖｅｎ）のセルが同一な輝度を有するようにするために、偶数ライン（Ｙｅｖｅｎ）のセルに対して追加的な維持期間を設ける。つまり、輝度補正期間（Ｔ３）では、奇数ライン（Ｙｏｄｄ）のセルでは放電が起こらないようにし、偶数ライン（Ｙｅｖｅｎ）のセルに対してのみ放電が起こるようにする。このために、維持電極（Ｘ）にＶｓ電圧の維持放電パルスが印加される場合、奇数ライン走査電極（Ｙｏｄｄ）にはＶｓ電圧と０Ｖ電圧との間のＶＬ２電圧を印加し、偶数ライン走査電極（Ｙｅｖｅｎ）には接地電圧（０Ｖ）を印加する。そうすると、奇数ライン（Ｙｏｄｄ）では、走査電極（Ｙｏｄｄ）と維持電極（Ｘ）との電圧差が放電開始電圧（Ｖｆ）に達することができないので放電が発生せず、偶数ライン走査電極（Ｙｅｖｅｎ）のセルでのみ維持放電が発生する。その後、維持電極（Ｘ）には０Ｖを印加し、奇数ライン及び偶数ラインの走査電極（Ｙｏｄｄ、Ｙｅｖｅｎ）にＶｓ電圧を印加する。そうすると、奇数ライン走査電極（Ｙｏｄｄ）のセルでは、以前に維持放電が起こらなかったため、壁電圧が逆極性に形成されているので維持放電が起こらず、偶数ライン走査電極（Ｙｅｖｅｎ）のセルでは維持放電が起こる。このように、奇数ライン（Ｙｏｄｄ）での維持放電の回数を、アドレス/維持混合期間（Ｔ１）の維持期間（Ｓ１１）での維持放電回数だけ制限することによって、奇数ライン（Ｙｏｄｄ）と偶数ライン（Ｙｅｖｅｎ）の輝度を同一であるようにする。
【００２７】
したがって、図４のサブフィールドで、奇数ライン（Ｙｏｄｄ）と偶数ライン（Ｙｅｖｅｎ）は同一に５回の放電が行われる。
しかし、本発明の第１実施形態によって、図４のように、奇数ライン（Ｙｏｄｄ）と偶数ライン（Ｙｅｖｅｎ）の輝度を同一であるようにするための輝度補正期間（Ｔ３）を設け、輝度補正期間（Ｔ３）で奇数ライン（Ｙｏｄｄ）と偶数ライン（Ｙｅｖｅｎ）に互いに異なる電圧（ＶＬ２、０Ｖ）を印加するためには、奇数ライン（Ｙｏｄｄ）と偶数ライン（Ｙｅｖｅｎ）の各々に対するスキャンＩＣを使用しなければならない。
これによりプラズマ表示装置の駆動ボードの面積が増加し、パターンが複雑になるため、実現するのが容易でない。
【００２８】
したがって、奇数ライングループ（Ｙｏｄｄ）及び偶数ライングループ（Ｙｅｖｅｎ）別の輝度差を補正するための輝度補正期間を行うために、ライン別にスキャンＩＣを別に使用しなくてもライン間の輝度差を同一に合せることのできる実施形態について、図５を参照して説明する。
図５は、本発明の第２実施形態によるプラズマ表示装置の駆動波形図である。特に、第１フレーム及び第２フレームでの駆動波形の一例を示したものである。
【００２９】
まず、第１フレームで、本発明の第２実施形態による駆動波形は、本発明の第１実施形態による駆動波形の輝度補正期間（Ｔ３）を除いては全て同一な波形であるので、重複する説明は省略する。
図５に示したように、第１フレームで本発明の第２実施形態による駆動波形は、本発明の第１実施形態のような輝度補正期間（Ｔ３）を設けない。したがって、本発明の第２実施形態による駆動波形は、奇数ライングループ（Ｙｏｄｄ）の二番目の維持放電及び偶数ライングループ（Ｙｅｖｅｎ）の一番目の維持放電動作の終了後に、前記二つのグループ（Ｙｏｄｄ、Ｙｅｖｅｎ）の共通維持期間（Ｔ２）を有し、走査電極（Ｙｏｄｄ、Ｙｅｖｅｎ）及び維持電極（Ｘ）ラインに、維持放電のためのＶｓ電圧及び０Ｖ電圧を有する維持放電パルスを交互に印加する。つまり、維持電極（Ｘ）にＶｓ電圧の維持放電パルスが印加される場合、奇数ライングループの走査電極（Ｙｏｄｄ）及び偶数ライングループの走査電極（Ｙｅｖｅｎ）に同一に接地電圧（０Ｖ）を印加する。そうすると、奇数ライングループ（Ｙｏｄｄ）及び偶数ライングループ（Ｙｅｖｅｎ）で全て維持放電が発生する。その次に、維持電極（Ｘ）には接地電圧（０Ｖ）を印加し、奇数ライングループの走査電極（Ｙｏｄｄ）及び偶数ライングループの走査電極（Ｙｅｖｅｎ）には同一にＶｓ電圧の維持放電パルスを印加する。そうすると、同様に、奇数ライングループ（Ｙｏｄｄ）及び偶数ライングループ（Ｙｅｖｅｎ）で全て維持放電が発生する。したがって、図５に示した第１フレームの共通維持期間（Ｔ２）で、奇数ライングループ（Ｙｏｄｄ）及び偶数ライングループ（Ｙｅｖｅｎ）で全て維持放電が発生するので、奇数及び偶数ライングループ（Ｙｏｄｄ、Ｙｅｖｅｎ）の全体維持放電回数は各々７回と５回となる。
【００３０】
次に、図５の第２フレームに示した本発明の第２実施形態による駆動波形は、前記第１フレームで奇数及び偶数グループ（Ｙｏｄｄ、Ｙｅｖｅｎ）のアドレス動作の順序を変えて適用したものである。つまり、前記第１フレームでは、奇数ライングループ（Ｙｏｄｄ）で、先にアドレス期間（ＡＧ１）及び維持期間（Ｓ１１）が行われ、偶数ライングループ（Ｙｅｖｅｎ）のアドレス期間（ＡＧ２）及び維持期間（Ｓ１２、Ｓ２１）が行われる。したがって、第２フレームでは、先に偶数ライングループ（Ｙｅｖｅｎ）でアドレス期間（ＡＧ１）及び維持期間（Ｓ１１）が行われ、次に、奇数ライングループ（Ｙｏｄｄ）のアドレス期間（ＡＧ２）及び維持期間（Ｓ１１、Ｓ２１）が行われる。この時、第２フレームでは、奇数及び偶数グループ（Ｙｏｄｄ、Ｙｅｖｅｎ）で各々５回と７回の維持放電が発生する。
【００３１】
前述のように、第１フレームと第２フレームでの奇数及び偶数ライングループ（Ｙｏｄｄ、Ｙｅｖｅｎ）での動作順序を変えて行うことにより、奇数ライングループ（Ｙｏｄｄ）と偶数ライングループ（Ｙｅｖｅｎ）との間に維持放電回数の差を補正することができる。つまり、第１フレームで、奇数及び偶数ライングループ（Ｙｏｄｄ、Ｙｅｖｅｎ）の維持放電回数は各々７回及び５回であり、第２フレームで、奇数及び偶数ライングループ（Ｙｏｄｄ、Ｙｅｖｅｎ）の維持放電回数は各々５回及び７回である。
結局、第１及び第２フレームの終了後には、奇数ライングループ（Ｙｏｄｄ）と偶数ライングループ（Ｙｅｖｅｎ）での維持放電回数は、各々１２回となって同一になることが分かる。
【００３２】
このようにすれば、本発明の第２実施形態による奇数及び偶数ライングループ（Ｙｏｄｄ、Ｙｅｖｅｎ）に分離された表示パネルセルの維持放電回数を調整することができる。したがって、各グループ間の互いに異なる維持放電回数による輝度不均衡を防止することができる。
【００３３】
本発明の第２実施形態では、走査電極（Ｙ）のグループを奇数と偶数ライングループ（Ｙｏｄｄ、Ｙｅｖｅｎ）に分けて駆動することを例に挙げて説明したが、本発明はこれに限定されるものではなく、多様な方式により走査電極（Ｙ）をグループ化させることが可能である。また、走査電極（Ｙ）のグループが二つ以上である場合にも、フレームごとにアドレス/維持混合期間（Ｔ２）での各グループの動作順序を逆に適用すれば、本発明と同一な効果を得ることができる。
【００３４】
図６は、本発明の第３実施形態によるプラズマ表示装置の駆動方法を説明するための図である。
図６に示したように、本発明の第３実施形態によれば、一つのフレームの毎サブフィールドごとに、偶数ライングループ（Ｙｅｖｅｎ）と奇数ライングループ（Ｙｏｄｄ）でのアドレス動作順序を変更することにより、前記偶数ライングループ（Ｙｅｖｅｎ）と奇数ライングループ（Ｙｏｄｄ）との間の維持放電回数の差を補正することができる。
つまり、例えば、８個のサブフィールドを含む第１フレームの第１サブフィールドでは、偶数ライングループ（Ｙｅｖｅｎ）で先にアドレス動作を行い、続いて奇数ライングループ（Ｙｏｄｄ）でアドレス動作を行う。次の第２サブフィールドでは、奇数ライングループ（Ｙｏｄｄ）で先にアドレス動作を行い、続いて偶数ライングループ（Ｙｅｖｅｎ）でアドレス動作を行う。次の第３サブフィールドから第８サブフィールドまで、アドレス動作の順序を偶数ライングループ（Ｙｅｖｅｎ）/奇数ライングループ（Ｙｏｄｄ）と奇数ライングループ（Ｙｏｄｄ）/偶数ライングループ（Ｙｅｖｅｎ）の順序で行う。つまり、第１フレームでは、第１サブフィールドで偶数ライングループ（Ｙｅｖｅｎ）で先に維持放電動作を遂行したので、第２サブフィールドから第８サブフィールドまで、奇数ライングループ（Ｙｏｄｄ）−偶数ライングループ（Ｙｅｖｅｎ）−奇数ライングループ（Ｙｏｄｄ）−偶数ライングループ（Ｙｅｖｅｎ）−奇数ライングループ（Ｙｏｄｄ）−偶数ライングループ（Ｙｅｖｅｎ）−奇数ライングループ（Ｙｏｄｄ）の順序で、先にアドレス動作が行われる。
【００３５】
一方、第１フレームに連続する第２フレームでは、第１フレームの維持放電動作順序と反対に維持放電動作を行う。つまり、第１サブフィールドでは、奇数ライングループ（Ｙｏｄｄ）で先に維持放電動作を行った後、偶数ライングループ（Ｙｅｖｅｎ）で維持放電動作を行う。次に、第２サブフィールドから第８サブフィールドまで、各サブフィールドでは交互に維持放電動作の順序を変更する。仮に、図６に示したように、第１サブフィールドでは偶数ライングループ（Ｙｏｄｄ）で維持放電動作を先に遂行した場合には、第１サブフィールドに連続する第２サブフィールドでは、これと反対に、奇数ライングループ（Ｙｏｄｄ）で維持放電動作が先に行われるようにする。
【００３６】
図７は、本発明の第３実施形態によるプラズマ表示装置の駆動波形図である。特に、第１フレームと第２フレームでの駆動波形の一例を示したものである。
図７に示したように、本発明の第３実施形態によるプラズマ表示装置の駆動波形は、図６で説明したように、第１フレームの間に偶数ライングループ（Ｙｅｖｅｎ）と奇数ライングループ（Ｙｏｄｄ）でのアドレス動作の順序を各サブフィールドごとに変える。また、その次のフレームである第２フレームでは、直前フレームでの各グループのアドレス動作の順序と反対にアドレス動作が行われるようにする。つまり、第２フレームの第１サブフィールドでは、第１フレームの第１サブフィールドと反対に、奇数ライングループ（Ｙｏｄｄ）で先にアドレス動作が行われ、偶数ライングループ（Ｙｅｖｅｎ）でアドレス動作が行われる。
前述のように、第１フレームと第２フレームの各サブフィールドで、奇数及び偶数ライングループ（Ｙｏｄｄ、Ｙｅｖｅｎ）での動作順序を変えて行うことにより、奇数ライングループ（Ｙｏｄｄ）と偶数ライングループ（Ｙｅｖｅｎ）との間の維持放電回数の差を補正することができる。
【００３７】
以上、本発明の好ましい実施形態について詳細に説明したが、本発明の権利範囲はこれに限定されるわけではなく、特許請求の範囲で定義している発明の基本概念を利用した当業者のいろいろな変形及び改良形態もまた本発明の権利範囲に属する。
【図面の簡単な説明】
【００３８】
【図１】本発明の実施形態によるプラズマ表示装置の概略的な概念図である。
【図２】走査電極ラインを複数（ｎ個）のグループに区分し、各グループに対して一つのフレームを複数のサブフィールドに分割して駆動するプラズマ表示装置の駆動方法を説明するための図である。
【図３】本発明の実施形態によるプラズマ表示パネルのセルを４個のグループに区分した一例を示した図である。
【図４】図３で説明した駆動方法を奇数及び偶数電極ライン（Ｙｏｄｄ、Ｙｅｖｅｎ）に適用した、本発明の第１実施形態によるプラズマ表示装置の駆動波形図である。
【図５】本発明の第２実施形態によるプラズマ表示装置の駆動波形図である。
【図６】本発明の第３実施形態によるプラズマ表示装置の駆動方法を説明するための図である。
【図７】本発明の第３実施形態によるプラズマ表示装置の駆動波形図である。
【符号の説明】
【００３９】
１００  プラズマ表示パネル
２００  制御部
３００  アドレス駆動部
４００  維持電極駆動部
５００  走査電極駆動部
【図１】
2006146159.tif 000003
【図２】
2006146159.tif 000004
【図３】
2006146159.tif 000005
【図４】
2006146159.tif 000006
【図５】
2006146159.tif 000007
【図６】
2006146159.tif 000008
【図７】
2006146159.tif 000009